(57)【要約】      （修正有）【課題】持ち運びしやすく、且つスクリーンに表示される歌詞の見やすいポータブルカラオケ機を提供する。【解決手段】スクリーン５１０を有するポータブル電子機器５００と組み合わせて使うことができるポータブルカラオケ機であって、概ね柱体状を呈し、対向する第１端２１０と第２端２２０を備えた握り部材２００と、ポータブル電子機器を収容、並びに、固定してスクリーンを握り部材から離れた方向に向かせる載置台３００と、握り部材の第１端と載置台の間に連結され、載置台を握り部材に対して回転させることができる連結部４００と、を含む。【選択図】図３
0003189260.tif 000002
【実用新案登録請求の範囲】
【請求項１】
スクリーンを有するポータブル電子機器と組み合わせて使い、
概ね柱体状を呈し、対向する第１端と第２端を備えた握り部材と、
前記ポータブル電子機器を収容、並びに、固定して前記スクリーンを前記握り部材から離れた方向に向かせる載置台と、
前記握り部材の前記第１端と前記載置台の間に連結され、前記載置台が前記握り部材に対して回転させることができる連結部と、
を含むことを特徴とするポータブルカラオケ機。
【請求項２】
前記握り部材は、前記スクリーンから離れた方向に向かって前記第１端から前記第２端へ延伸することを特徴とする請求項１に記載のポータブルカラオケ機。
【請求項３】
前記載置台は、
底壁と、
頂面側当接板と、
前記底壁と前記頂面側当接板の間に連結されて前記頂面側当接板を前記底壁から離れた方向に向かって移動するよう押進する弾性部材と、
前記底壁の対向両側に各々設け、その底部が前記底壁に連結され、その頂部に位置する位置制限壁を各々含み、且つ、前記位置制限壁が別の側壁の方向に向かって延伸する２つの側壁と、
を含むことを特徴とする請求項１に記載のポータブルカラオケ機。
【請求項４】
前記底壁は、中空状を呈することで空洞部を備え、且つ、前記底壁の側辺が開口部を有し、前記２つの側壁のいずれかの前記底部が屈曲するように延伸して連結壁を形成し、前記連結壁が前記開口部を通過し、前記底壁は前記空洞部の内壁と前記連結壁の間に連結する少なくとも１個の弾性体を更に含むことを特徴とする請求項３に記載のポータブルカラオケ機。
【請求項５】
前記底壁の中央が内方へ凹陥して定位溝を形成し前記弾性部材の収容に用いられることを特徴とする請求項３に記載のポータブルカラオケ機。
【請求項６】
前記頂面側当接板の中央から定位柱を延伸し、前記弾性体がばねで、前記ばねが定位柱の表面を巻き付くことで定位溝内に一緒に設けることを特徴とする請求項５に記載のポータブルカラオケ機。
【請求項７】
前記ポータブル電子機器が２つの側壁の間に挟持されることを特徴とする請求項３に記載のポータブルカラオケ機。
【請求項８】
前記載置台は、前記２つの側壁いずれかの別の側壁から離れた側に位置する集音部材を更に含むことを特徴とする請求項３に記載のポータブルカラオケ機。
【請求項９】
前記集音部材は、概ね長方体を呈し、且つ、前記側壁と接触する面の面積が前記側壁の面積とほぼ一致することを特徴とする請求項８に記載のポータブルカラオケ機。
【請求項１０】
前記握り部材は、中空状を呈して収容空間を有し、
前記収容空間に設けられると共に前記集音部材に電気的に接続することで、前記集音部材が出力した第１の音源信号を受信し、また、前記第１の音源信号について信号処理を行った後で出力する信号処理回路と、
一端が前記信号処理回路に接続してその出力した前記第１の音源信号を受信し、また、前記握り部材を貫通する接続ケーブルと、前記接続ケーブルの他端に位置し、前記ポータブル電子機器のオーディオポートに差し込んで、前記第１の音源信号を前記ポータブル電子機器に出力するオーディオ端子とを備えるオーディオケーブルと、
を更に含むことを特徴とする請求項８に記載のポータブルカラオケ機。
【請求項１１】
前記信号処理回路は、感度調整ユニットと感度調整スイッチとを含み、前記感度調整ユニットが前記感度調整スイッチの設定に応答して前記第１の音源信号の振幅を調整することを特徴とする請求項１０に記載のポータブルカラオケ機。
【請求項１２】
前記感度調整スイッチは、前記握り部材の側表面に設けられることを特徴とする請求項１１に記載のポータブルカラオケ機。
【請求項１３】
前記信号処理回路は、前記第１の音源信号、及び、前記オーディオケーブルを経由する前記ポータブル電子機器が出力した第２の音源信号を受信、並びに、混合して第３の音源信号を出力する混合器を含むことを特徴とする請求項１０に記載のポータブルカラオケ機。
【請求項１４】
前記握り部材は、前記握り部材の第２端に位置し、前記混合器に接続することで前記第３の音源信号を受信するオーディオ出力ポートを更に含むことを特徴とする請求項１３に記載のポータブルカラオケ機。
【請求項１５】
前記握り部材の側表面が内側に凹陥して収納溝を形成して前記オーディオ端子を収納するために用いられることを特徴とする請求項１０に記載のポータブルカラオケ機。
【請求項１６】
前記載置台は、底壁と
前記底壁の対向両側に各々設けられ、且つ、その底部が前記底壁に連結する２つの側壁と、
前記２つの側壁の延伸方向側に位置し、且つ、その底部が前記底壁に連結するストッパー壁と、
前記ストッパー壁上の前記２つの側壁に隣接する側に設けられることで、前記ポータブル電子機器が前記載置台に収容された時前記ポータブル電子機器のポートに差し込む接続端子と、
を含むことを特徴とする請求項１に記載のポータブルカラオケ機。
【請求項１７】
前記２つの側壁は、前記ストッパーと連結することを特徴とする請求項１６に記載のポータブルカラオケ機。
【請求項１８】
前記載置台は、前記２つの側壁いずれかの別の側壁から離れた側に位置する集音部材を更に含むことを特徴とする請求項１６に記載のポータブルカラオケ機。
【請求項１９】
前記載置台は、
底壁と
前記底壁の一側に位置し、その底部が前記底壁に連結する側壁と、
一接続端子，前記側壁の前記底壁に隣接する側に位置ことで、前記ポータブル電子機器が前記載置台に収容された時前記ポータブル電子機器のポートに差し込む接続端子と、
を含むことを特徴とする請求項１に記載のポータブルカラオケ機。
【請求項２０】
前記載置台は、前記側壁上の前記底壁から離れた側に位置する集音部材を更に含むことを特徴とする請求項１９に記載のポータブルカラオケ機。
【請求項２１】
前記握り部材は、中空状を呈して収容空間を有し、
前記収容空間に設けられると共に前記集音部材に電気的に接続することで、前記集音部材が出力した第１の音源信号を受信し、また、前記第１の音源信号について信号処理を行った後で前記接続端子に出力し、前記接続端子を経由して前記音源信号を前記ポータブル電子に送信する信号処理回路を更に含むことを特徴とする請求項１８、又は、請求項２０に記載のポータブルカラオケ機。
【請求項２２】
前記信号処理回路は、感度調整ユニットと感度調整スイッチとを含み、前記感度調整ユニットが前記感度調整スイッチの設定に応答して前記第１の音源信号の振幅を調整することを特徴とする請求項２１に記載のポータブルカラオケ機。
【請求項２３】
前記感度調整スイッチは、前記握り部材の側表面に設けられることを特徴とする請求項２２に記載のポータブルカラオケ機。
【請求項２４】
前記信号処理回路は、前記第１の音源信号、及び、前記オーディオケーブルを経由する前記ポータブル電子機器が出力した第２の音源信号を受信、並びに、混合して第３の音源信号を出力する混合器を含むことを特徴とする請求項２１に記載のポータブルカラオケ機。
【請求項２５】
前記握り部材は、前記握り部材の第２端に位置し、前記混合器に接続することで前記第３の音源信号を受信するオーディオ出力ポートを更に含むことを特徴とする請求項２４に記載のポータブルカラオケ機。
【請求項２６】
前記連結部は、枢軸、或いは、自在継手を含むことを特徴とする請求項１に記載のポータブルカラオケ機。
【考案の詳細な説明】
【技術分野】
【０００１】
本考案は、ポータブルカラオケ機に関し、特に、ポータブル電子機器と組み合わせて使うポータブルカラオケ機に関する。
【背景技術】
【０００２】
近年生活の質が徐々に上がり、人々は日常のレジャー娯楽に対しても重視してきた。例を挙げて言うと、平素溜まっているストレスを解消するため、何人かの友達と一緒にカラオケ店に行って歌う光景は、よく見られる娯楽になっている。
【０００３】    しかしながら、カラオケ店で歌の腕前を披露する以外に、人々は良く家でも鼻歌を歌って練習している。音感が悪い人にとって、更に音程調整の補助設備又はソフトウェアプログラムの助けが必要である。例えば、（公序良俗違反につき、不掲載）とするカラオケ機は、マイクスタンドのスタイルとなっている。マイクスタンドは、マルチメディアプレーヤーを設置できる載置エリアを有する。しかしマイクスタンドは、持ち運びの不便さが明らかである。【０００４】    （公序良俗違反につき、不掲載）という名前の携帯カラオケ機が、マイクロホンのスタイルで、マイクロホンの末端に携帯電話を載置できる収容槽が延伸している。利用者は、携帯電話のスクリーンに表示されている歌詞を見ながらマイクロホンで歌うことができる。しかし、携帯電話がマイクロホンの後方に位置するため、利用者が携帯電話のスクリーンを見る不便性があった。
【先行技術文献】
【特許文献】
【０００５】
【特許文献１】特開２００８−２６８７７３号公報、要約
【考案の概要】
【考案が解決しようとする課題】
【０００６】
そこで、本考案は上記の問題点に鑑みて、前記カラオケ機の持ち運びにくく、且つ利用者がスクリーンを見る不便性という問題を解決するためのポータブルカラオケ機を提供することを目的とする。
【課題を解決するための手段】
【０００７】
本考案の一実施例は、スクリーンを有するポータブル電子機器と組み合わせて使うことができるポータブルカラオケ機を提供する。ポータブルカラオケ機は、概ね柱体状を呈し、対向する第１端と第２端を備えた握り部材と、ポータブル電子機器を収容並びに固定してスクリーンを握り部材から離れた方向に向かせる載置台と、握り部材の第１端と載置台の間に連結され、載置台が握り部材に対して回転させることができる連結部と、を含む。
【０００８】
一実施例において、載置台は集音部材を更に含む。
【０００９】
一実施例において、握り部材は、中空状を呈して収容空間を有し、且つ信号処理回路とオーディオケーブルとを更に含む。信号処理回路は、収容空間に設けられると共に集音部材に電気的に接続することで、集音部材が出力した第１の音源信号を受信し、また第１の音源信号について信号処理を行った後で出力する。オーディオケーブルは、接続ケーブルとオーディオ端子とを含む。接続ケーブルの一端が信号処理回路に接続することで、その出力した第１の音源信号を受信し、また握り部材を貫通する。オーディオ端子は、接続ケーブルの他端に位置し、ポータブル電子機器のオーディオポートに差し込んで、第１の音源信号をポータブル電子機器に出力する。
【００１０】
一実施例において、信号処理回路は、第１の音源信号及びオーディオケーブルを経由するポータブル電子機器が出力した第２の音源信号を受信並びに混合して第３の音源信号を出力する混合器を含む。
【００１１】
一実施例において、握り部材は、握り部材の第２端に位置し、混合器に接続することで第３の音源信号を受信するオーディオ出力ポートを更に含む。
【考案の効果】
【００１２】
本考案に係るポータブルカラオケ機は、片手で握り部材を気楽に持ち、別の手でポータブル電子機器のスクリーンを操作することができる。また、本考案に係るポータブルカラオケ機は、利用者がポータブル電子機器のスクリーンを見る方式を提供するため、視野角によって載置台の角度を調整できる。更に、混合器により利用者の歌声及びポータブル電子機器のバックグラウンドミュージックを混合し、オーディオ出力ポートから出力することで、利用者にはっきりバックグラウンドミュージック及び自分の歌声を聞かせる。
【図面の簡単な説明】
【００１３】
【図１】本考案に係る第１の実施例のポータブルカラオケ機の使用状態を示す斜視図である。
【図２】本考案に係る第１の実施例のポータブルカラオケ機の使用状態を示す斜視図である。
【図３】本考案に係る第１の実施例のポータブルカラオケ機の分解斜視図である。
【図４】図１のＡ−Ａ’線に沿う断面図である。
【図５】本考案に係る第１の実施例のポータブルカラオケ機の側面図である。
【図６】図１のＢ−Ｂ’線に沿う断面図である。
【図７】本考案に係る第１の実施例のポータブルカラオケ機の別の側面図である。
【図８】本考案に係る第１の実施例のポータブルカラオケ機とポータブル電子機器のブロック回路図である。
【図９】本考案に係る第１の実施例のポータブルカラオケ機の別の側面図である。
【図１０】本考案に係る第１の実施例のポータブルカラオケ機の細部のブロック回路図である。
【図１１】本考案に係る第１の実施例のポータブルカラオケ機の感度調整回路の回路図である。
【図１２】本考案に係る第２の実施例のポータブルカラオケ機の斜視図である。
【図１３】本考案に係る第２の実施例のポータブルカラオケ機とポータブル電子機器のブロック回路図である。
【図１４】本考案に係る第３の実施例のポータブルカラオケ機の斜視図である。
【図１５】本考案に係る第４の実施例のポータブルカラオケ機の斜視図である。
【図１６】本考案に係る第４の実施例のポータブルカラオケ機の側面図である。
【図１７】本考案に係る第４の実施例のポータブルカラオケ機の使用状態を示す側面図である。
【図１８】本考案に係る第５の実施例のポータブルカラオケ機の斜視図である。
【図１９】本考案に係る第５の実施例のポータブルカラオケ機の側面図である。
【図２０】本考案に係る第６の実施例のポータブルカラオケ機の斜視図である。
【図２１】本考案に係る第７の実施例のポータブルカラオケ機の斜視図である。
【考案を実施するための形態】
【００１４】
以下の説明は、この分野内の経験を持つ技術者がこの分野内の他の技術者にその動作の実質的な手段を効果的に伝える。よって、説明内容が晦渋で分かりにくいことを避けるため、公知の方法、プロセス、構造と電気回路を詳細に記述していない。
【００１５】
以下、「一実施例」に言及した時、該実施例の記述を結合する技術的特徴、構造或いは特性は、いずれも本考案の少なくとも１個の実施形態内に含まれることができる。明細書内の複数の箇所に現れた語句である「一実施例において」は、複数の異なる実施例に及ぶ可能性があり、単独の実施例或いはその他の実施例の間が互いに排斥しないことを理解すべきである。
【００１６】
例えば、「下方の」、「上方の」等の空間関係用語は、ここで図面に示す構成要素或いは特徴と他の構成要素又は特徴との関係概要説明を記述するために用いられる。これら空間関係用語の意味は、図面内に示す方位以外に、外部使用又は組み合わせる装置の異なる方位を更に含むことが理解すべきである。例えば、図面内の装置が裏返しされた場合、他の構成要素或いは特徴との関係は「下方の」として記述された構成要素は、他の構成要素或いは特徴と関係が「上方の」になる。よって、例示性用語の「下方の」は、「…の上に」及び「…の下に」の方位を含むことができる。図面内に示す装置は、その他の方向（例えば回転９０度又はその他の方向に位置）とすることができ、且つ使用する空間関係記述に合わせてその対応方位を解釈できる。
【００１７】
そこで、使用する用語の「或いは／及び」は、リストアップする項目の１個又は複数個のいずれかと全ての組み合せを含む。単数形式の「１」及び「該」も複数の形式も含むことができることを理解すべきであり、前後の文章に明示している場合を除く。説明において用語の「含む」及び／或いは「含む」で某特徴、ステップ、構成要素或いは／及びアセンブリーの存在を説明する時、１個又は複数の他の特徴、ステップ、構成要素、アセンブリー或いは／及びその組み合せの存在、若しくは加入を排除しないことを理解すべきである。
【００１８】
（第１の実施例）
図１は、本考案に係る第１の実施例のポータブルカラオケ機１００の使用状態を示す図である。図２は、本考案に係る第１の実施例のポータブルカラオケ機１００の使用状態を示す図である。
【００１９】
図１及び図２を一緒に参照しながら説明する。ポータブルカラオケ機１００は、スクリーン５１０を有するポータブル電子機器５００と組み合わせて使う。ポータブルカラオケ機１００は、握り部材２００と載置台３００と連結部４００とを含む。そこで、ポータブル電子機器５００は、アップル社製スマートフォン「ｉＰｈｏｎｅ」（登録商標）を例とするが、本考案の実施例はこれに限定されるものではない。ポータブル電子機器５００は、その他のメーカの携帯電話或いは例えば、マルチメディアプレーヤー、タブレット型コンピュータ、電子書籍リーダー、デジタルフォトフレーム又は携帯ゲーム機等の他の電子製品とすることもできる。スクリーン５１０は、例えばモノクロ液晶スクリーン、カラー液晶スクリーン或いはタッチスクリーンとすることができるがこれに限定されることはない。
【００２０】
握り部材２００は、概ね柱体状（そこで概ね円柱体）を呈し、対向する第１端２１０と第２端２２０とを備える。そこで、握り部材２００断面の面積は第１端２１０から第２端２２０に向かって漸減する。つまり、握り部材２００の幅は、その末端に向かって漸次縮小するが、本考案の実施例はこれに限定されるものではない。若干の実施例において、握り部材２００は例えば三角柱、四角柱等の多角形柱状といった他の幾何学的な柱状又はその他の設計スタイルとすることもできる。
【００２１】
載置台３００は、ポータブル電子機器５００を収容並びに固定でき、スクリーン５１０を握り部材２００から離れた方向に向かせる。本実施例において握り部材２００は、スクリーン５１０から離れた方向に向かって第１端２１０から第２端２２０へ延伸する（図１）。連結部４００は、握り部材２００の第１端２１０と載置台３００の間に連結され、載置台３００が握り部材２００に対して回転させることができる。これを介して利用者は、載置台３００の握り部材２００に対する角度を調整できことで、手で握り部材２００を持つ時載置台３００上に位置するポータブル電子機器５００のスクリーン５１０を見る便宜のために用いられる（図２）。そこで、連結部４００は枢着方式を例とし、つまり連結部４００が枢軸４１０と握り部材２００及び載置台３００に各々連結する枢着穴４２０とを含む。枢軸４１０がこれら枢着穴４２０を貫通して握り部材２００と載置台３００を互いに枢着させる（図３）。
【００２２】
利用者は、握り部材２００を持って口を載置台３００に近づけることで、ポータブル電子機器５００のスクリーン５１０に表示される内容に合わせて音声或いは歌のインタラクションを行う。そこで、ポータブル電子機器５００は、アプリケーションプログラムを実行してゲーム内容を表示でき、また内蔵のマイクロホン（図示略）を通じて利用者のしゃべり声又は歌う声を集音することで、利用者が出した声のリズム、音程、音量又はそのいかなる組み合せも評価する。これを介して利用者は、アプリケーションプログラムに合わせ歌のリズムと音程を学習でき、またアプリケーションプログラム内のレベルデザインを通じて楽しみながらも勉強になる効果を奏する。しかしながら、本考案の実施例は、ポータブル電子機器５００に内蔵するマイクロホンによる集音に限定されるものではない。若干の実施例において、集音機能を提供するため、載置台３００はポータブル電子機器５００を載置する以外に集音部材３５０を更に含むことができ、後記に詳細に説明する。
【００２３】
図３は、本考案に係る第１の実施例のポータブルカラオケ機１００分解図である。図４は、図１のＡ−Ａ’線に沿う断面図である。
【００２４】
図３に示されるように、載置台３００は底壁３１０と頂面側当接板３２０と弾性部材３３０と２つの側壁３４０ａ、３４０ｂとを含む。そこで、底壁３１０と頂面側当接板３２０の形状は大まかに同じ（いずれも円形）であるが、本考案の実施例はこれに限定されるものではなく、底壁３１０と頂面側当接板３２０の形状が前記握り部材２００の横断面形状と同一とすることができるが、本考案はこれに限定されるものではない。
【００２５】
図４に示されるように、弾性部材３３０は底壁３１０と頂面側当接板３２０の間に連結されて頂面側当接板３２０を底壁３１０から離れた方向に向かって移動するよう押進できる。図３及び図４を一緒に参照しながら説明する。底壁３１０の中央が内方へ凹陥して定位溝３１４を形成し弾性部材３３０の収容に用いられる。そこで、弾性部材３３０は、ばねである。頂面側当接板３２０の底壁３１０に隣接する側（つまりその下表面）の中央から定位柱３２１を延伸し、ばねが定位柱３２１の表面（つまり定位柱３２１の表面を螺旋状に囲む）を巻き付くことで定位溝３１４内に一緒に設けることができる。定位溝３１４の溝底中央から嵌着柱３１６を突出して延伸し、定位柱３２１が管状を呈するため、嵌着柱３１６と嵌着できる。これを介して頂面側当接板３２０が底壁３１０に対して垂直移動する時、その移動方向を安定できる。
【００２６】
若干の実施例において、頂面側当接板３２０の底壁３１０に隣接する側（つまりその下表面）から他の凸柱３２２を更に突出して延伸できる。底壁３１０の頂面側当接板３２０に隣接する側（つまりその上表面）に凸柱３２２の位置に対応する凹穴３１５が凹設されることもできる。これを介して頂面側当接板３２０移動時の安定性を強化できる。
【００２７】
図３及び図４に示されるように、２つの側壁３４０ａ、３４０ｂは、底壁３１０の対向両側に各々設け、且つ２つの側壁３４０ａ、３４０ｂの底部３４１が底壁３１０に連結される。側壁３４０ａは、その頂部３４２に位置する位置制限壁３４３を含み、且つ側壁３４０ａの位置制限壁３４３が別の側壁３４０ｂの方向に向かって延伸する。これと類するように、側壁３４０ｂもその頂部３４２に位置する位置制限壁３４３も含み、側壁３４０ｂの位置制限壁３４３が別の側壁３４０ａの方向に向かって延伸する。図３及び図５に示されるものを参照しながら説明する。これを介してポータブル電子機器５００が載置台３００に収容された時、ポータブル電子機器５００が両位置制限壁３４３と頂面側当接板３２０の間に当接する。本実施例において、ポータブル電子機器５００の下表面は頂面側当接板３２０に当接し、且つポータブル電子機器５００の上表面が位置制限壁３４３に当接し、この場合弾性部材３３０の弾力により、ポータブル電子機器５００が位置制限壁３４３と頂面側当接板３２０の間に固定されることができる。よって、載置台３００は、厚さが異なるポータブル電子機器５００を収容できる。本実施例では、該厚さが位置制限壁３４３から頂面側当接板３１０までの最大距離ｄ１より略小さいだけで良い（図７）が、これに限定されるものではない。
【００２８】
図５は、本考案に係る第１の実施例のポータブルカラオケ機５００の側面図である。図６は、図１のＢ−Ｂ’線に沿う断面図である。図７は、本考案に係る第１の実施例のポータブルカラオケ機１００の別の側面図である。
【００２９】
図５及び図６を一緒に参照しながら説明する。底壁３１０は、中空状を呈することで空洞部３１１を備え、且つ底壁３１０の側辺が２つの開口部３１２ａ、３１２ｂを有する。側壁３４０ａの底部３４１が屈曲するように延伸して連結壁３４４を形成し、側壁３４０ａの連結壁３４４が開口部３１２ａを通過して空洞部３１１に入り込む。これと類するように、側壁３４０ｂの底部３４１も屈曲するように延伸して連結壁３４４を形成し、側壁３４０ｂの連結壁３４４が開口部３１２ｂを通過して空洞部３１１に入り込む。図６に示されるように、底壁３１０は空洞部３１１の内壁と側壁３４０ａの連結壁３４４の間に連結する少なくとも１個の弾性体３１３（そこで２個の弾性体３１３で、実際ばねとすることができる）を更に含む。これを介して側壁３４０ａは外方（つまり空洞部の中心３１１から離れた方向）へ向かって移動でき、利用者は幅が異なるポータブル電子機器５００に応じて２つの側壁３４０ａ、３４０ｂ間の距離ｄ２を調整させる。弾性体３１３は側壁３４０ａに対して内側縮み（空洞部３１１の中心に向かって移動）の引張力を掛けることで、ポータブル電子機器５００を２つの側壁３４０ａ、３４０ｂの間で挟持する。
【００３０】
本実施例において、側壁３４０ｂの連結壁３４４は、空洞部３１１の内壁に固定して連結し、側壁３４０ｂが底壁３１０に対して移動できない。ただし、本考案の実施例はこれに限定されるものではない。若干の実施例において、側壁３４０ｂの連結壁３４４も弾性体３１３を経由して空洞部３１１の内壁に連結して摺動できる（先述の側壁３４０ａと同一）。
【００３１】
先に述べた説明により、載置台３００を寸法が異なるポータブル電子機器５００に設置できることが分かり、例えばポータブル電子機器５００は保護ケースを取り付けてその体積を増す場合もある。
【００３２】
再度図３及び図５を参照しながら説明する。載置台３００は、側壁３４０ｂ上の側壁３４０ａから離れた側（つまり側壁３４０ｂの外側）に位置する集音部材３５０を更に含む。そこで、集音部材３５０は、概ね長方体を呈し、且つ側壁３４０ｂと接触する一面の面積が側壁３４０ｂの面積とほぼ一致する。しかしながら、集音部材３５０の外形は、これに限定されるものではなく、その他のスタイルで設計できる。
【００３３】
図８は、本考案に係る第１の実施例のポータブルカラオケ機１００とポータブル電子機器５００の回路ブロック図である。
【００３４】
図４及び図８を一緒に参照しながら説明する。握り部材２００は、中空状を呈することで収容空間２３０を有する。握り部材２００は、収容空間２３０に設けられる信号処理回路２４０を更に含む。信号処理回路２４０の全部或いは一部は、プリント回路基板（図示略）を設けることができる。そこで、図面が複雑すぎて理解しにくいことを避けるため、図４内に信号処理回路２４０の具体的構造及びその他の構成要素に接続する導線を描いていない。
【００３５】
信号処理回路２４０は集音部材３５０に電気的に接続することで、集音部材３５０が出力した第１の音源信号Ｓ１を受信し、また第１の音源信号Ｓ１について信号処理を行った後で出力する。そこで、第１の音源信号Ｓ１は、集音部材３５０が外部音声を受信して音電変換を経て生成した電気信号である。利用者は、集音部材３５０に喋り或いは歌う時、第１の音源信号Ｓ１が利用者の音声信号である。
【００３６】
オーディオケーブル２５０は、信号処理回路２４０の出力側に接続し、接続ケーブル２５１とオーディオ端子２５２とを含む。接続ケーブル２５１の一端が信号処理回路２４０に接続して信号処理を経た第１の音源信号Ｓ１を受信する。オーディオ端子２５２は、接続ケーブル２５１の他端に位置し、ポータブル電子機器５００のオーディオポート５２１に差し込むことで、第１の音源信号Ｓ１をポータブル電子機器５００に出力できる。
【００３７】
図９は、本考案に係る第１の実施例のポータブルカラオケ機１００の別の側面図である。図４及び図９に示されるように、接続ケーブル２５１は握り部材２００の外壁（握り部材２００にある第１端２１０を通過）を貫通し、且つ握り部材２００の側表面が内側に凹陥して収納溝２７０を形成してオーディオ端子２５２を収納できる。そこで、オーディオ端子２５２は、Ｌ字形を呈し、収納溝２７０にある一端が導電金属部とし、他端が扁平長形（リード角を有する長方形）を呈し、収納溝２７０の溝口が他端とマッチングする浅く広い凹みを備える。これを介してオーディオ端子２５２が収納溝２７０に差し込んだ時、収納溝２７０を覆うことでホコリ或いは水蒸気が握り部材２００の収容空間２３０に入ることを避けることができる。しかし、本考案の実施例のオーディオ端子２３２外形は、Ｌ字形に限定されるものではない。
【００３８】
図１０は、本考案に係る第１の実施例のポータブルカラオケ機１００の細部回路ブロック図である。
【００３９】
図１０に示されるように、信号処理回路２４０は、感度調整ユニット２４１と感度調整スイッチ２４２と混合器２４３とを含む。感度調整ユニット２４１は、感度調整スイッチ２４２の設定に応答して第１の音源信号Ｓ１の振幅を調整できる。そこで、感度調整スイッチ２４２は握り部材２００の側表面（図１）に設けられることができる。
【００４０】
図１１を参照しながら説明する。図１１は、本考案に係る第１の実施例のポータブルカラオケ機１００の感度調整回路図で、前記感度調整ユニット２４１と感度調整スイッチ２４２の具体的実施態樣を例示するために用いられる。前記集音部材３５０は、少なくとも１個のマイクロホン単体Ｍｉｃ（そこで１個のマイクロホン単体Ｍｉｃを例）を含む。そこで、差動回路を例とし、出力側が基準側Ｓｂｉａｓとプラス側Ｓｐとマイナス側Ｓｎを備えるため、差動形式の第１の音源信号Ｓ１を出力できるが、本考案の実施例は、これに限定されるものではない。プラス側Ｓｐとマイナス側Ｓｎは、マイクロホン単体Ｍｉｃに各々電気的に接続し、且つその間にフィルターコンデンサーＣ１を並列接続する。フィルターコンデンサーＣ１は、フィルタとして使用し、マイクロホン単体Ｍｉｃが出力した第１の音源信号Ｓ１のノイズをろ過除去できる。マイナス側Ｓｎに接地抵抗Ｒ３が接続される。マイクロホン単体Ｍｉｃと基準側Ｓｂｉａｓの間に順番通り感度調整スイッチ２４２、並列接続する両電流制限抵抗Ｒ１ａ、Ｒ１ｂ、接地コンデンサーＣ２及び電流制限抵抗Ｒ２が接続する。そこで、感度調整スイッチ２４２は、切替スッチとすることができ、利用者の切替を見て信号を電流制限抵抗Ｒ１ａ或いは電流制限抵抗Ｒ１ｂに流れらせることができる。これを介して、抵抗値が異なる両電流制限抵抗Ｒ１ａ、Ｒ１ｂにより、第１の音源信号Ｓ１のバイアスの大きさを調整できる。例えば、抵抗値が小さい電流制限抵抗Ｒ１ａへ流れることを選択した時、第１の音源信号Ｓ１の信号強度が比較的大きいため、集音効果に高い感度を持たせることで、騒がしい環境に適する。逆に、抵抗値が大きい電流制限抵抗Ｒ１ｂへ流れるよう選択した時、第１の音源信号Ｓ１の信号強度が比較的小さく、音量が小さい音もノイズとしてろ過除去されることで、静かな環境に適し、ノイズの少ない音声信号を得ることができる。
【００４１】
再度図４及び図１０を参照しながら説明する。握り部材２００は、第２端２２０底部中央のオーディオ出力ポート２６０を更に含む。混合器２４３は、感度調整ユニット２４１とオーディオ端子２５２とオーディオ出力ポート２６０の間に電気的に接続することで、第１の音源信号Ｓ１とオーディオケーブル２５０を経由したポータブル電子機器５００が出力した第２の音源信号Ｓ２を受信並びに混合して第３の音源信号Ｓ３をオーディオ出力ポート２６０に出力する。そこで、第２の音源信号Ｓ２は、ポータブル電子機器５００がアプリケーションプログラムを実行して出力したオーディオ信号で、各レベルのバックグラウンドミュージックとすることができる。混合器２４３は、第１の音源信号Ｓ１と第２の音源信号Ｓ２を混合して例えばバックグラウンドミュージックと利用者の声とを含む第３の音源信号Ｓ３を生成できる。これにより、利用者は、イヤホン６００をオーディオ出力ポート２６０に差し込むと、同時にバックグラウンドミュージック及び自分が発した声をが聞こえる。こうすると、環境干渉を避けてより一層集中してゲームを楽しむことができる以外に、利用者にはっきりと自分の声が聞こえて欠陥のあり方を理解させることで、直ちに直すことができる。
【００４２】
若干の実施例において、信号処理回路２４０は、混合器２４３を含まなくてもよく、これに対し、握り部材２００がオーディオ出力ポート２６０を備えなくでもよい。
【００４３】
若干の実施例において、信号処理回路２４０は、感度調節ユニット２４１と感度調整スイッチ２４２とを含まなくてもよい。
【００４４】
（第２の実施例）
図１２は、本考案に係る第２の実施例のポータブルカラオケ機１００斜視図である。
【００４５】
図１２を参照しながら説明する。本実施例の載置台３００構造と前記第１の実施例とは異なり、主な相違点が第２の実施例の載置台３００は、第１の実施例に比べて、ストッパー壁３６０を有することである。
【００４６】
載置台３００は、底壁３１０’と２つの側壁３４０ａ’、３４０ｂ’とストッパー壁３６０と接続端子３７０とを含む。そこで、底壁３１０’は、概ね矩形平板状を呈するが、本考案の実施例はこれに限定されるものではない。２つの側壁３４０ａ’、３４０ｂ’は、底壁３１０’の対向両側（そこで両長辺）に各々設けられ、且つ２つの側壁３４０’の底部が底壁３１０’に連結する。そこで、２つの側壁３４０ａ’、３４０ｂ’は、底壁３１０’に垂直連結する。２つの側壁３４０ａ’、３４０ｂ’も第１の実施例の側壁３４０ａ、３４０ｂと同じように位置制限壁３４３を各々備える。ストッパー壁３６０は、２つの側壁３４０ａ’、３４０ｂ’の延伸方向側に位置し、且つストッパー壁３６０の底部３６１が底壁３１０’に連結する。ストッパー壁３６０の頂部は、位置制限壁３６３を有する。ストッパー壁３６０も底壁３１０’と垂直する。これを介して２つの側壁３４０ａ’、３４０ｂ’とストッパー壁３６０と底壁３１０’の間に置き空間を形成してポータブル電子機器５００を固定できる。
【００４７】
接続端子３７０は、ストッパー壁３６０上の２つの側壁３４０ａ’、３４０ｂ’に隣接する側（つまり内側）に設けられることで、ポータブル電子機器５００が載置台３００に収容された時ポータブル電子機器５００のポート５２０に差し込む。図９に示されるように、ポート５２０は、例えばオーディオポート５２１或いはデータ転送ポート５２２（ｌｉｇｈｔｉｎｇ(R)インターフェースであるが、本考案の実施例はこれに限定されるものではなく、例えばＵＳＢインターフェースとすることも可能）等とすることができる。よって、接続端子３７０は、オーディオポート５２１と対応するオーディオ端子（図１２）或いはデータ転送ポート５２２と対応するデータ転送端子とすることができる。
【００４８】
図１３は、本考案第２の実施例のポータブルカラオケ機１００とポータブル電子機器５００の回路ブロック図である。図１３に示されるように、接続端子３７０は、信号処理回路２４０に電気的に接続することで、信号処理回路２４０による信号処理を経た後の第１の音源信号Ｓ１をポート５２０を通じてポータブル電子機器５００に伝送する。そこで、集音部材３５０と信号処理回路２４０等の構成要素の構造と動作原理は、前記第１の実施例を参照し、ここで繰り返し記述しない。
【００４９】
（第３の実施例）
図１４は、本考案に係る第３の実施例のポータブルカラオケ機１００斜視図である。図１４に示されるように、前記第２の実施例に比べて、本実施例の２つの側壁３４０ａ’、３４０ｂ’はストッパー壁３６０と連結する。しかし、本考案の実施例は、底壁３１０（３１０’、３１０”）の二辺又は三辺に側壁を設けることに限定されるものではなく、底壁３１０（３１０’、３１０”）の四辺に側壁を設けることができる。
【００５０】
（第４の実施例）
図１５は、本考案に係る第４の実施例のポータブルカラオケ機１００斜視図である。図１６は、本考案に係る第４の実施例のポータブルカラオケ機１００側面図である。図１７は、本考案に係る第４の実施例のポータブルカラオケ機１００の使用状態を示す図である。
【００５１】
図１５及び図１６を参照しながら説明する。本実施例の載置台３００及び連結部４００は、前記実施例と異なり、その他の構成要素の構造及び動作原理は先に述べた説明を参照する。そこで前記集音部材３５０がない場合を例示するが、本実施例はこれに限定されるものではない。
【００５２】
図１５に示されるように、載置台３００は、底壁３１０”と３つの側壁３４０ａ”、３４０ｂ”、３４０ｃ”とを含む。底壁３１０”は、概ね長方形を呈し、且つ四角が丸角となる。２つの側壁３４０ａ”、３４０ｂ”は、底壁３１０”の長辺の両端に各々位置し、側壁３４０ｃ”が別の長辺の中央部に位置すること絵、ポータブル電子機器５００を係止固定する。しかし、本考案の実施例はこれに限定されるものではなく、例えば２つの側壁３４０ａ”、３４０ｂ”は、底壁３１０”の短辺の両端に各々位置し、側壁３４０ｃ”が別の短辺の中央部に位置することができる。
【００５３】
図１５及び図１６を一緒に参照しながら説明する。本実施例において連結部４００は、先に述べるような枢軸４１０と枢着穴４２０と自在継手４３０とを含む。自在継手４３０は、球状体４３１と椀状体４３２とを含む。球状体４３１は、載置台３００の底壁３１０”の下表面（つまり握り部材２００に隣接する側）に固着される。椀状体４３２の上表面（つまり載置台３００に隣接する側）の中央において内側に凹陥して椀状溝４３３を形成する。椀状溝４３３の内径は、球状体４３１の直径と実質的に同一で、球状体４３１を椀状体４３２に嵌め込ませることができる。これを介して、載置台３００は、握り部材２００に対して自由に回転できる。
【００５４】
図１６及び図１７を一緒に参照しながら説明する。椀状体４３２は、枢着穴４２０を有するため、枢軸４１０を通じて同樣に枢着穴４２０を有する握り部材２００と枢着することができる。これを介して載置台３００及び自在継手４３０は、枢軸４１０に垂直する方向に沿って回転できる。こうすると、載置台３００は、自在継手４３０及び枢軸４１０を通じて更に多変な回転角度を得ることができる。しかし、本考案の実施例はこれに限定されるものではなく、載置台３００も枢着方法によらず、自在継手４３０を通じて握り部材２００と連結できる。
【００５５】
（第５の実施例）
図１８は、本考案に係る第５の実施例のポータブルカラオケ機１００斜視図である。図１９は、本考案に係る第５の実施例のポータブルカラオケ機１００側面図である。
【００５６】
図１８及び図１９を一緒に参照しながら説明する。前記実施例に比べて、本実施例の載置台３００は、互いに枢着する上部挟持アーム３８１と下部挟持アーム３８２で構成される。上部挟持アーム３８１と下部挟持アーム３８２の枢着箇所に復帰エレメント（例えばばねであるが、図示略）が設けられ、２つの挟持アーム３８１、３８２が開いた後内方に向かう挟持力を提供してポータブル電子機器５００を挟持する。
【００５７】
（第６の実施例）
図２０は、本考案に係る第６の実施例のポータブルカラオケ機５００斜視図である。
【００５８】
図１及び図２０を一緒に参照しながら説明する。第１の実施例の載置台３００がポータブル電子機器５００の左右両側を挟持することに比べて、本実施例の載置台３００はポータブル電子機器５００の上下両側を挟持する。よって、本実施例の２つの側壁３４０ａ、３４０ｂ間の距離は、第１の実施例の２つの側壁３４０ａ、３４０ｂ間の距離より長い。そこで、本実施例の側壁３４０ａの連結壁３４４は、第１の実施例の側壁３４０ａの連結壁３４４より長いが、本考案の実施例はこれに限定されるものではなく、若干の実施例において、本実施例の側壁３４０ｂの連結壁３４４は第１の実施例の側壁３４０ｂの連結壁３４４より長くすることができる。
【００５９】
本実施例のポータブル電子機器５００の底部にオーディオポート５２１が設けられるため、側壁３４０ｂの上に前記第３の実施例のオーディオポート５２１に対応する接続端子３７０を更に設けることができる。
【００６０】
一実施例において、ポータブル電子機器５００の底部にオーディオポート５２１に隣接するデータ転送ポート５２２（図２１）を更に設けることができるため、側壁３４０ｂの上にデータ転送ポート５２２に対応する接続端子３７０’（図２１）を更に設けることができる。
【００６１】
（第７の実施例）
図２１は、本考案に係る第７の実施例のポータブルカラオケ機斜視図である。
【００６２】
図２１に示されるように、本実施例の載置台３００は、前述第６の実施例に比べて側壁３４０ｂを有しないことができる。つまり、本実施例の載置台３００は、１つの側壁３４０ａのみを有し、且つこの側壁３４０ａの上に少なくとも１個の接続端子（２個の接続端子３７０、３７０’を例）が設けられる。接続端子３７０、３７０’は、信号送信の用途を提供する以外にオーディオポート５２１とデータ転送ポート５２２との係着によりポータブル電子機器５００を固定できる。そこで、接続端子３７０は、オーディオポート５２１に対応する接続端子３７０で、接続端子３７０’がデータ転送ポート５２２に対応する接続端子３７０である。
【００６３】
上記各実施例から分かるように、上記一部の実施例の図面で集音部材３５０を有するものを表示したが、本考案の実施例も集音部材３５０が無くてもよく、ポータブル電子機器５００に内蔵しているマイクロホンで集音できる。逆に、上記実施例の図面で集音部材３５０を表示していないものは集音部材３５０が無いように制限することではなく、集音部材３５０を選択的に増設できる。
【００６４】
これと類するように、本考案の実施例も前記接続端子３７０を選択的に増設又は除去できる。そこで、接続端子３７０とオーディオケーブル２５０は、いずれかを選んで存在できる。
【００６５】
このほかに、前記連結部４００は、枢軸４１０或いは自在継手４３０を通じて実現できることを例示したが、本考案はこれに限定されるものではなく、その所属する技術領域において通常の知識を具有する者は、当然その他の連結方法を応用して載置台３００が握り部材２００に対して回転させることができる。
【００６６】
上記を取りまとめると、本考案に係るポータブルカラオケ機１００は、片手で握り部材２００を気楽に持ち、別の手でポータブル電子機器５００のスクリーン５１０を操作することができる。また、本考案に係るポータブルカラオケ機は、利用者がポータブル電子機器５００のスクリーン５１０を見る方式を提供するため、視野角によって載置台３００の角度を調整できる。更に、混合器２４３により利用者の歌声及びポータブル電子機器５００のバックグラウンドミュージックを混合し、オーディオ出力ポート２６０から出力することで、利用者にはっきりバックグラウンドミュージック及び自分の歌声を聞かせる。
【００６７】
考案の詳細な説明の項においてなされた具体的な実施例は、あくまでも本発明の技術内容を明らかにするものであって、そのような具体例にのみ限定して狭義に解釈されるべきものではなく、本発明の趣旨と範囲を逸脱しない限りにおいて、当業者の知識に基づいて、種々なる変更、修正、改良等を加え得ることができる。よって、本考案の保護範囲は、本明細書に添付する登録請求範囲で限定されるものを基準とする。
【符号の説明】
【００６８】
１００    ポータブルカラオケ機
２００    握り部材
２１０    第１端
２２０    第２端
２３０    収容空間
２４０    信号処理回路
２４１    感度調整ユニット
２４２    感度調整スイッチ
２４３    混合器
２５０    オーディオケーブル
２５１    接続ケーブル
２５２    オーディオ端子
２６０    オーディオ出力ポート
２７０    収納溝
３００    載置台
３１０、３１０’、３１０”    底壁
３１１    空洞部
３１２ａ、３１２ｂ    開口部
３１３    弾性体
３１４    定位溝
３１５    凹穴
３１６    嵌着柱
３２０    頂面側当接板
３２１    定位柱
３２２    凸柱
３３０    弾性部材
３４０ａ、３４０ｂ    側壁
３４０ａ’、３４０ｂ’    側壁
３４０ａ”、３４０ｂ”、３４０ｃ”    側壁
３４１    底部
３４２    頂部
３４３    位置制限壁
３４４    連結壁
３５０    集音部材
３６０    ストッパー壁
３６１    底部
３６３    位置制限壁
３７０、３７０’  接続端子
３８１    上部挟持アーム
３８２    下部挟持アーム
４００    連結部
４１０    枢軸
４２０    枢着穴
４３０    自在継手
４３１    球状体
４３２    椀状体
４３３    椀状溝
５００    ポータブル電子機器
５１０    スクリーン
５２０    ポート
５２１    オーディオポート
５２２    データ転送ポート
６００    イヤホン
Ａ−Ａ’、Ｂ−Ｂ’    断面線
ｄ１  最大距離
ｄ２  距離
Ｓ１  第１の音源信号
Ｓ２  第２の音源信号
Ｓ３  第３の音源信号
Ｓｂｉａｓ    基準側
Ｓｐ  プラス側
Ｓｎ  マイナス側
Ｍｉｃ    マイクロホン単体
Ｃ１  フィルターコンデンサー
Ｃ２  接地コンデンサー
Ｒ１ａ、Ｒ１ｂ、Ｒ２  電流制限抵抗
Ｒ３  接地抵抗
【図８】
0003189260.tif 000003
【図１０】
0003189260.tif 000004
【図１３】
0003189260.tif 000005
【図１】
0003189260.tif 000006
【図２】
0003189260.tif 000007
【図３】
0003189260.tif 000008
【図４】
0003189260.tif 000009
【図５】
0003189260.tif 000010
【図６】
0003189260.tif 000011
【図７】
0003189260.tif 000012
【図９】
0003189260.tif 000013
【図１１】
0003189260.tif 000014
【図１２】
0003189260.tif 000015
【図１４】
0003189260.tif 000016
【図１５】
0003189260.tif 000017
【図１６】
0003189260.tif 000018
【図１７】
0003189260.tif 000019
【図１８】
0003189260.tif 000020
【図１９】
0003189260.tif 000021
【図２０】
0003189260.tif 000022
【図２１】
0003189260.tif 000023
【手続補正書】
【提出日】平成26年1月6日(2014.1.6)
【手続補正１】
【補正対象書類名】実用新案登録請求の範囲
【補正対象項目名】請求項１
【補正方法】変更
【補正の内容】
【請求項１】
スクリーンを有し、カラオケ機能を備えたポータブル電子機器と組み合わせて使い、
概ね柱体状を呈し、対向する第１端と第２端を備えた握り部材と、
前記ポータブル電子機器を収容、並びに、固定して前記スクリーンを前記握り部材から離れた方向に向かせる載置台と、
前記握り部材の前記第１端と前記載置台の間に連結され、前記載置台が前記握り部材に対して回転させることができる連結部と、
を含むことを特徴とするポータブルカラオケ機。
【手続補正２】
【補正対象書類名】実用新案登録請求の範囲
【補正対象項目名】請求項８
【補正方法】変更
【補正の内容】
【請求項８】
前記載置台は、前記２つの側壁の内のいずれか一方の側壁から離れた側に位置する集音部材を更に含むことを特徴とする請求項３に記載のポータブルカラオケ機。
【手続補正３】
【補正対象書類名】実用新案登録請求の範囲
【補正対象項目名】請求項１７
【補正方法】変更
【補正の内容】
【請求項１７】
前記２つの側壁は、前記ストッパー壁と連結することを特徴とする請求項１６に記載のポータブルカラオケ機。
【手続補正４】
【補正対象書類名】実用新案登録請求の範囲
【補正対象項目名】請求項２１
【補正方法】変更
【補正の内容】
【請求項２１】
前記握り部材は、中空状を呈して収容空間を有し、
前記収容空間に設けられると共に前記集音部材に電気的に接続することで、前記集音部材が出力した第１の音源信号を受信し、また、前記第１の音源信号について信号処理を行った後で前記接続端子に出力し、前記接続端子を経由して前記音源信号を前記ポータブル電子機器に送信する信号処理回路を更に含むことを特徴とする請求項１８、又は、請求項２０に記載のポータブルカラオケ機。
【手続補正５】
【補正対象書類名】実用新案登録請求の範囲
【補正対象項目名】請求項２４
【補正方法】変更
【補正の内容】
【請求項２４】
前記信号処理回路は、前記第１の音源信号、及び、前記ポータブル電子機器が出力した第２の音源信号を受信し、並びに、混合して、第３の音源信号を出力する混合器を含むことを特徴とする請求項２１に記載のポータブルカラオケ機。
【手続補正６】
【補正対象書類名】明細書
【補正対象項目名】０００３
【補正方法】変更
【補正の内容】
【０００３】
しかしながら、カラオケ店で歌の腕前を披露する以外に、人々は良く家でも鼻歌を歌って練習している。音感が悪い人にとって、更に音程調整の補助設備又はソフトウェアプログラムの助けが必要である。従来のカラオケ機には、マイクスタンドを有するものがあり、このマイクスタンドが、マルチメディアプレーヤーを設置できる載置エリアを有するものもある。しかしマイクスタンドは、持ち運びの不便さが明らかである。
【手続補正７】
【補正対象書類名】明細書
【補正対象項目名】０００４
【補正方法】変更
【補正の内容】
【０００４】
また、他の従来の携帯カラオケ機では、そのマイクロホンの末端に携帯電話を載置できる収容槽が延伸しているものもある。利用者は、携帯電話のスクリーンに表示されている歌詞を見ながらマイクロホンで歌うことができる。しかし、携帯電話がマイクロホンの後方に位置するため、利用者が携帯電話のスクリーンを見る不便性があった。